(57)【特許請求の範囲】
【請求項１】
利用者に所持される携帯端末から当該利用者の目的階についての条件を表す目的階条件データを受信する無線受信部と、
エレベータの行先階として登録可能な階の各々と前記階の入居者に関するデータとを関連付けて記憶する各階データ記憶部と、
前記無線受信部が受信した目的階条件データに対応する階を前記各階データ記憶部が記憶している階から抽出する目的階抽出部と、
前記目的階抽出部が抽出した階に対応する行先階情報を表示する行先階情報表示部と、
を備えたエレベータ。
【請求項２】
前記無線受信部は、利用者の利用目的データを含む目的階条件データを受信する請求項１に記載のエレベータ。
【請求項３】
前記行先階情報表示部が利用者により選択された行先階を検出した場合に、前記無線受信部が受信した目的階条件データと前記行先階情報表示部が検出した行先階とを関連付けて記憶する利用者層データ記憶部、
を備えた請求項１または請求項２に記載のエレベータ。
【請求項４】
前記無線受信部は、前記携帯端末から暗証データを受信し、
前記目的階抽出部は、前記無線受信部が受信した暗証データが特定階について予め設定された条件に合致するかを判定し、当該条件に合致しないと判定した場合に当該特定階を抽出せず、
前記行先階情報表示部は、前記受信した暗証データが条件に合致しないと前記目的階抽出部が判定した場合に、その旨を示すメッセージを表示する請求項１から請求項３のいずれか一項に記載のエレベータ。
【発明の詳細な説明】
【技術分野】
【０００１】
本発明は、エレベータに関する。
【背景技術】
【０００２】
特許文献１は、エレベータの例を開示する。エレベータは、利用者に所持される携帯端末から個々の利用者を識別する個別情報を受信する。エレベータは、受信した個別情報に関連付けて記憶している利用階情報に基づいて、利用者の目的に応じた階を抽出する。エレベータは、抽出した階に対応する行先ボタンを表示する。
【先行技術文献】
【特許文献】
【０００３】
【特許文献１】日本特開２０１５−１３６９５号公報
【発明の概要】
【発明が解決しようとする課題】
【０００４】
しかしながら、特許文献１におけるエレベータにおいては、エレベータは、利用者を識別する個別情報を予め登録し、個別情報に利用階情報を関連付けて予め記憶しておく必要がある。このため、利用者は、個別情報が登録されていない施設においては、目的に応じた階を抽出して表示させる機能を利用できない。【０００５】
本発明は、このような課題を解決するためになされた。本発明の目的は、個々の利用者を識別する情報を予め登録することなく、利用者の目的に応じた階を抽出して利用者に提示できるエレベータを提供することである。
【課題を解決するための手段】
【０００６】
本発明に係るエレベータは、利用者に所持される携帯端末から当該利用者の目的階についての条件を表す目的階条件データを受信する無線受信部と、エレベータの行先階として登録可能な階の各々と階の入居者に関するデータとを関連付けて記憶する各階データ記憶部と、無線受信部が受信した目的階条件データに対応する階を各階データ記憶部が記憶している階から抽出する目的階抽出部と、目的階抽出部が抽出した階に対応する行先階情報を表示する行先階情報表示部と、を備える。
【発明の効果】
【０００７】
本発明によれば、エレベータは、無線受信部と各階データ記憶部と目的階抽出部と行先階情報表示部とを備える。無線受信部は、利用者に所持される携帯端末から当該利用者の目的階についての条件を表す目的階条件データを受信する。各階データ記憶部は、エレベータの行先階として登録可能な階の各々と階の入居者に関するデータとを関連付けて記憶する。目的階抽出部は、無線受信部が受信した目的階条件データに対応する階を各階データ記憶部が記憶している階から抽出する。行先階情報表示部は、目的階抽出部が抽出した階に対応する行先階情報を表示する。これにより、個々の利用者を識別する情報を予め登録することなく、利用者の目的に応じた階を抽出して利用者に提示できる。
【図面の簡単な説明】
【０００８】
【図１】本発明の実施の形態１に係るエレベータの構成を示す図である。
【図２】本発明の実施の形態１に係るエレベータのかご操作盤の正面図である。
【図３】本発明の実施の形態１に係るエレベータの構成を示すブロック図である。
【図４】本発明の実施の形態１に係るエレベータの行先階情報表示部の表示の例を示す図である。
【図５】本発明の実施の形態１に係るエレベータの行先階情報表示部の表示の他の例を示す図である。
【図６】本発明の実施の形態１に係るエレベータの動作の例を示すフローチャートである。
【図７】本発明の実施の形態１に係るエレベータの動作の例を示すフローチャートである。
【図８】本発明の実施の形態１に係るエレベータの主要部のハードウェア構成を示す図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、本実施の形態に係るエレベータの構成を示す図である。
【００１１】
エレベータ１は、建築物に設けられる。建築物は、例えば複数の店舗等を含む商業施設である。
【００１２】
エレベータ１の昇降路は、建築物の各階を貫く。
【００１３】
エレベータ１の乗場は、建築物の各階に設けられる。乗場は、各階に乗場出入口を備える。乗場出入口は、昇降路に対応する。乗場出入口は、対応する昇降路と対向する。
【００１４】
乗場は、図示しない戸を備える。乗場の戸は、乗場出入口に設けられる。乗場の戸は、乗場が設けられた階にかご２が停止しているときに、利用者が当該かご２を出入りできるように開閉する装置である。
【００１５】
エレベータ１は、かご２と、制御装置３と、を備える。
【００１６】
かご２は、昇降路の内部に設けられる。かご２は、図示しない巻上機の動力により、対応する昇降路の内部において昇降する装置である。
【００１７】
かご２は、かご出入口を備える。かご２は、戸４を備える。戸４は、かご出入口に設けられる。戸４は、かご２が乗場に停止しているときに、利用者５がかご２を出入りできるように開閉する装置である。戸４は、かご２に備えられた図示しない駆動装置によって乗場の戸を連動させながら開閉しうるように設けられる。
【００１８】
かご２は、内側にかご操作盤６を備える。かご操作盤６は、例えば戸４に隣接して設けられる。
【００１９】
制御装置３は、対応するかご２の動作を登録された呼びに従って制御する装置である。かご２の動作は、例えば昇降動作および戸４の開閉動作を含む。
【００２０】
携帯端末７は、エレベータ１の利用者５に所持される。携帯端末７は、例えばスマートフォンである。携帯端末７は、目的階条件データを記憶する。
【００２１】
目的階条件データは、利用者５の目的階についての条件を表す。目的階条件データは、例えば利用者５の属性データおよび利用目的データを含む。
【００２２】
属性データは、例えば利用者５の性別または年代あるいはその両方である。属性データは、名前および住所などの個々の利用者を特定するデータを含まない。
【００２３】
利用目的データは、予め定められた複数の項目のいずれかである。利用目的データの項目は、例えばショッピング、飲食、娯楽およびビジネスを含む。
【００２４】
目的階条件データは、利用目的データの各々に対応する利用詳細データを含む。利用詳細データは、利用目的データの各々に対応して予め定められた複数の項目のいずれかである。利用詳細データの項目は、例えば、対応する利用目的データがショッピングである場合に、衣料品、食品および書籍を含む。
【００２５】
携帯端末７は、記憶している目的階条件データを利用者５が設定するためのアプリケーションを搭載する。
【００２６】
携帯端末７は、記憶している目的階条件データを無線信号として送信する機能を備える。携帯端末７が目的階条件データを送信する機能は、例えばＲＦＩＤ（Ｒａｄｉｏ  Ｆｒｅｑｕｅｎｃｙ  ＩＤｅｎｔｉｆｉｃａｔｉｏｎ）によって実現される。
【００２７】
続いて、かご操作盤６の構成を説明する。図２は、本実施の形態に係るエレベータのかご操作盤の正面図である。
【００２８】
かご操作盤６は、インジケータ８と、非常通話用ボタン９と、戸開ボタン１０ａおよび戸閉ボタン１０ｂと、無線受信部１１と、行先階情報表示部１２と、を備える。
【００２９】
インジケータ８は、かご２の動作の状況を表示する装置である。かご２の動作の状況は、例えば、かご２の現在位置を表す階数およびかご２の走行している方向である。インジケータ８の機能は、例えば液晶ディスプレイによって実現される。
【００３０】
非常通話用ボタン９は、利用者５が非常時にエレベータ１の監視員等との通話を行う場合に用いるボタンである。
【００３１】
戸開ボタン１０ａおよび戸閉ボタン１０ｂは、かご２に乗車している利用者５が戸４に開閉動作をさせるためのボタンである。
【００３２】
無線受信部１１は、携帯端末７から無線信号として送信された目的階条件データを受信する部分である。無線受信部１１の機能は、例えばＲＦＩＤリーダによって実現される。無線受信部１１は、例えば携帯端末７が無線受信部１１にかざされたときに、目的階条件データを受信する。
【００３３】
行先階情報表示部１２は、行先階情報を表示する部分である。
【００３４】
一つ以上の行先階情報の各々は、建築物の各階に対応する情報である。行先階情報は、例えば行先ボタンまたは行先階を表す階数の表示である。
【００３５】
行先階情報表示部１２は、行先階情報として行先ボタンを表示する。
【００３６】
行先階情報表示部１２は、表示した行先ボタンのうち、利用者５によって行先ボタンが選択されたことを検出する機能を備える。行先階情報表示部１２の機能は、例えばタッチパネル式ディスプレイによって実現される。
【００３７】
行先階情報表示部１２の機能がタッチパネル式ディスプレイによって実現される場合、行先階情報表示部１２は、表示された行先ボタンのいずれかに利用者５が触れたことを例えば静電容量の変化により検知する。その後、行先階情報表示部１２は、利用者５が触れたことを検知した当該行先ボタンを、利用者に選択される行先ボタンとして検出する。
【００３８】
かご操作盤６は、携帯端末７に記憶される目的階条件データを無線信号により受信する。かご操作盤６は、受信した目的階条件データに基づいて、利用者の目的に応じた階に対応する行先ボタンを利用者に表示する。
【００３９】
続いて、エレベータ１の機能を説明する。図３は、本実施の形態に係るエレベータの構成を示すブロック図である。
【００４０】
エレベータ１は、各階データ記憶部１３を備える。
【００４１】
各階データ記憶部１３は、エレベータ１の行先階として登録可能な建築物の階の各々と、当該階の各々に入居している店舗等のデータと、を関連付けて記憶する部分である。
【００４２】
店舗等のデータは、店舗等の種類と、目的階条件データと、を含む。店舗等の種類は、例えば、商店、飲食店、企業または施設のいずれかである。店舗等のデータに含まれる目的階条件データは、当該店舗等が対象とする利用者層に対応する。店舗等のデータは、当該店舗等が複数の利用者層を対象とする場合は、複数の目的階条件データを含む。
【００４３】
すなわち、各階データ記憶部１３は、店舗等のデータを介して、エレベータ１の行先階として登録可能な建築物の階の各々と目的階条件データとを関連付けて記憶する。
【００４４】
各階データ記憶部１３は、エレベータ１の行先階として登録可能な建築物の階の各々に対応する表示データを記憶する。
【００４５】
表示データは、対応する階において利用者５に対して提供されるサービス等の情報を表す。表示データは、例えば対応する階に店舗等が入居している場合に、当該店舗等で扱う主な商品を表す。表示データの内容は、例えば衣料品、書籍、文具および食品のいずれかである。あるいは、表示データの内容は、例えば紳士服および婦人服のいずれかである。
【００４６】
各階データ記憶部１３が記憶しているデータは、建築物または商業施設等の管理者等によって設定および変更される。
【００４７】
エレベータ１のかご２が備えるかご操作盤６は、目的階抽出部１４と、表示生成部１５と、かご呼び登録部１６と、を備える。
【００４８】
目的階抽出部１４は、無線受信部１１が携帯端末７から受信した目的階条件データに関連付けて各階データ記憶部１３が記憶している階を抽出する部分である。
【００４９】
目的階抽出部１４は、無線受信部１１が受信した目的階条件データを取得する。目的階抽出部１４は、各階データ記憶部１３が記憶している店舗等のデータに基づいて、取得した目的階条件データに対応する利用者層を対象とする店舗等を抽出する。目的階抽出部１４は、抽出した店舗等が入居している階を抽出する。
【００５０】
表示生成部１５は、目的階抽出部１４が抽出した階に対応する行先階情報の表示パターンを生成する部分である。
【００５１】
表示パターンは、行先階情報の各々について表示するか否かの情報を含む。表示パターンは、表示する行先階情報の各々の配置、大きさおよび色を含む。表示パターンは、表示する行先階情報の各々の階に対応する表示データの内容を含む。
【００５２】
表示生成部１５は、行先階情報として行先ボタンを表示する表示パターンを生成する。
【００５３】
かご操作盤６の行先階情報表示部１２は、表示生成部１５が生成した表示パターンに従って行先ボタンを表示する。
【００５４】
行先階情報表示部１２は、表示した行先ボタンのいずれかから利用者に選択される行先ボタンを検出したときに、当該行先ボタンが対応する階を特定する情報を、かご呼び登録部１６に送信する。階を特定する情報は、例えば階数である。行先階情報表示部１２は、表示した行先ボタンのいずれかから利用者に選択される行先ボタンを複数検出したときに、当該複数の行先ボタンの各々が対応する階を特定する情報の各々を、かご呼び登録部１６に送信する。
【００５５】
かご呼び登録部１６は、階を特定する情報を受信し、当該情報で特定される階への呼びを表す信号を制御装置３に送信することによって呼びを登録する部分である。
【００５６】
エレベータ１は、利用者層データ記憶部１７を備える。
【００５７】
利用者層データ記憶部１７は、無線受信部１１が受信した目的階条件データと行先階情報表示部１２が検出した行先ボタンが対応する階とを関連付けて利用者層データとして記憶する部分である。
【００５８】
利用者層データは、目的階条件データに含まれる性別、年代、利用目的データおよび利用詳細データと、利用時間帯と、選択された行先ボタンが対応する階と、を含む。利用者層データは、氏名および住所などの、利用者を識別する情報を含まない。
【００５９】
利用者層データ記憶部１７は、行先階情報表示部１２が利用者５に選択される行先ボタンを検出したときに、かご操作盤６から利用者層データに含まれる情報を取得して記憶する。
【００６０】
続いて、行先階情報表示部１２の表示を説明する。図４は、本実施の形態に係るエレベータの行先階情報表示部の表示の例を示す図である。
【００６１】
行先階情報表示部１２は、目的階条件データを無線受信部１１が受信していない場合に、通常表示画面を表示する。
【００６２】
通常表示画面は、行先階として登録が可能な階の各々に対応する行先ボタンの全てを含む。通常表示画面は、携帯端末７をかざすことによって目的に応じた行先階が抽出して表示される機能が利用できる旨を利用者に示すメッセージまたはイラストを含む。
【００６３】
行先階情報表示部１２は、無線受信部１１が受信した目的階条件データに対応する階が無い場合、その旨を利用者に示すメッセージまたはイラストを「該当なし」のように表示した後に、通常表示画面を表示する。行先階情報表示部１２は、携帯端末７に目的階条件データが設定されていない場合に、その旨を利用者に示すメッセージまたはイラストを表示した後に、通常表示画面を表示する。
【００６４】
図４は、次の場合における、行先階情報表示部１２の表示の例を示す。この例において、利用者５の携帯端末７が記憶している目的階条件データは、性別が「女性」、年代が「２０代」、利用目的データが「ショッピング」、利用詳細データが「衣料品」として設定されている。この例において、エレベータ１の行先階として登録が可能な階の数は、１５階である。この例において、性別が「女性」、年代が「２０代」、利用目的データが「ショッピング」、利用詳細データが「衣料品」である利用者層を対象とする店舗等が、建築物の３階、４階および５階に入居している。
【００６５】
目的階抽出部１４は、性別が「女性」、年代が「２０代」、利用目的データが「ショッピング」、利用詳細データが「衣料品」である目的階条件データを取得する。目的階抽出部１４は、各階データ記憶部１３が記憶している店舗等のデータに基づいて、性別が「女性」であり、年代が「２０代」であり、利用目的データが「ショッピング」であり、利用詳細データが「衣料品」である利用者層を対象とする店舗等を抽出する。目的階抽出部１４は、抽出した店舗等が入居している階として、３階、４階および５階の３つの階を抽出する。
【００６６】
表示生成部１５は、目的階抽出部１４が抽出した階に対応する表示パターンを生成する。
【００６７】
行先階情報表示部１２は、受信した目的階条件データの内容２１、該当階の数の表示２２、行先ボタン２３、表示データの内容２４、通常表示へ戻るボタン２５を、表示生成部１５が生成した表示パターンに従って表示する。
【００６８】
行先階情報表示部１２は、受信した目的階条件データの内容２１を、例えば「女性／２０代／ショッピング／衣料品」のように項目を並べて表示する。行先階情報表示部１２は、該当階の数の表示２２を、例えば「３／１５階」のように、目的階抽出部１４が抽出した階の数と行先階として登録が可能な階の数とを並べて表示する。行先階情報表示部１２は、目的階抽出部１４が抽出した階に対応する表示データの内容２４を、例えば「紳士服／婦人服」のように表示する。行先階情報表示部１２は、通常表示へ戻るボタン２５を表示する。行先階情報表示部１２は、利用者の操作を促すメッセージを、例えば「ご希望の階を選択してください」のように表示する。
【００６９】
行先階情報表示部１２は、利用者による行先ボタン２３の選択を検出した場合に、当該選択された行先ボタン２３の表示の色を変更する。
【００７０】
行先階情報表示部１２は、通常表示へ戻るボタン２５の選択を検出した場合に、通常表示画面を表示する。行先階情報表示部１２は、行先ボタン２３を表示した時点から予め定められた時間が経過した場合に、通常表示画面を表示する。
【００７１】
続いて、行先階情報表示部１２の表示の他の例を説明する。図５は、本実施の形態に係る行先階情報表示部１２の表示の他の例を示す図である。
【００７２】
図５は、次の場合における、行先階情報表示部１２の表示の例を示す。この例において、利用者５の携帯端末７が記憶している目的階条件データは、年代が「２０代」、利用目的データが「ショッピング」、利用詳細データが「衣料品」および「書籍」として設定されている。この例において、利用者５の携帯端末７が記憶している目的階条件データは、性別が設定されていない。この例において、エレベータ１の行先階として登録が可能な階の数は、１５階である。この例において、性別が「女性」、年代が「２０代」、利用目的データが「ショッピング」および利用詳細データが「衣料品」である利用者層を対象とする店舗等が、建築物の３階、４階および５階に入居している。この例において、性別が「男性」、年代が「２０代」、利用目的データが「ショッピング」および利用詳細データが「衣料品」である利用者層を対象とする店舗等が、建築物の５階、６階および７階に入居している。この例において、性別が全ての性別、年代が全ての年代、利用目的データが「ショッピング」および利用詳細データが「書籍」である利用者層を対象とする店舗等が、建築物の１０階に入居している。
【００７３】
目的階抽出部１４は、目的階条件データの一部が設定されていない場合は、例えば目的階条件データが設定されている部分のみに基づいて店舗等のデータを抽出する。目的階抽出部１４は、目的階条件データの一部に複数の項目が設定されている場合は、例えば当該複数の項目の少なくともいずれかの利用者層を対象とする店舗等のデータを抽出する。
【００７４】
目的階抽出部１４は、性別の設定がなく、年代が「２０代」、利用目的データが「ショッピング」、利用詳細データが「衣料品」および「書籍」である目的階条件データを取得する。目的階抽出部１４は、各階データ記憶部１３が記憶している店舗等のデータに基づいて、取得した目的階条件データに対応する利用者層を対象とする店舗等を抽出する。すなわち、目的階抽出部１４は、年代が「２０代」であり、利用目的データが「ショッピング」であり、利用詳細データが「衣料品」または「書籍」の少なくともいずれかである利用者層を対象とする店舗等を抽出する。目的階抽出部１４は、抽出した店舗等が入居している階として、３階、４階、５階、６階、７階および１０階の６つの階を抽出する。
【００７５】
表示生成部１５は、目的階抽出部１４が抽出した階の数が予め定められた数より多い場合に、複数のページの表示パターンを生成する。複数のページの表示パターンは、ページ送りボタン２６を含む。
【００７６】
行先階情報表示部１２は、ページ送りボタン２６の選択を検出した場合に、表示しているページを切り替える。
【００７７】
続いて、本実施の形態に係るエレベータの動作について説明する。図６および図７は、本実施の形態に係るエレベータの動作の例を示すフローチャートである。
【００７８】
利用者５は、エレベータ１を利用する前に、携帯端末７に搭載されているアプリケーションによって、目的階条件データを設定する。
【００７９】
図６において、行先階情報表示部１２は、通常表示画面を表示する（Ｓ１）。その後、エレベータ１の動作はＳ２に進む。
【００８０】
行先階情報表示部１２は、通常表示画面に表示されている行先ボタンのいずれかが、選択された行先ボタンとして検出されたかを判定する（Ｓ２）。判定結果がＹｅｓである場合には、エレベータ１の動作はＳ１４に進む。判定結果がＮｏである場合は、エレベータ１の動作はＳ３に進む。
【００８１】
利用者５は、目的階条件データが設定されている携帯端末７を、無線受信部１１にかざす。携帯端末７は、無線信号により目的階条件データを無線受信部１１に送信する。
【００８２】
無線受信部１１は、携帯端末７から目的階条件データを受信したか否かを判定する（Ｓ３）。判定結果がＮｏである場合は、エレベータ１の動作はＳ２に進む。判定結果がＹｅｓである場合には、エレベータ１の動作はＳ４に進む。
【００８３】
目的階抽出部１４は、携帯端末７から受信した目的階条件データに関連付けて各階データ記憶部１３が記憶している階を抽出する（Ｓ４）。その後、エレベータ１の動作はＳ５に進む。
【００８４】
目的階抽出部１４は、抽出した階が１つ以上あるかを判定する（Ｓ５）。判定結果がＮｏである場合は、エレベータ１の動作はＳ１６に進む。判定結果がＹｅｓである場合には、エレベータ１の動作は図７のＳ６に進む。
【００８５】
図７において、表示生成部１５は、目的階抽出部１４が抽出した階に対応する行先ボタンの表示パターンを生成する（Ｓ６）。その後、エレベータ１の動作はＳ７に進む。
【００８６】
行先階情報表示部１２は、表示生成部１５が生成した表示パターンに従って行先ボタンを表示する（Ｓ７）。その後、エレベータ１の動作はＳ８に進む。
【００８７】
行先階情報表示部１２は、通常表示へ戻るボタンが選択されたかを判定する（Ｓ８）。判定結果がＹｅｓである場合には、エレベータ１の動作は図６のＳ１に進む。判定結果がＮｏである場合は、エレベータ１の動作はＳ９に進む。
【００８８】
行先階情報表示部１２は、行先ボタンが選択されたかを判定する（Ｓ９）。判定結果がＮｏである場合は、エレベータ１の動作はＳ１３に進む。判定結果がＹｅｓである場合には、エレベータ１の動作はＳ１０に進む。
【００８９】
行先階情報表示部１２は、利用者に選択された行先ボタンの表示の色を変更する（Ｓ１０）。その後、エレベータ１の動作はＳ１１に進む。
【００９０】
行先階情報表示部１２は、選択された行先ボタンが対応する階を特定する情報をかご呼び登録部１６に送信する。かご呼び登録部１６は、受信した情報で特定される階への呼びを登録する（Ｓ１１）。その後、エレベータ１の動作はＳ１２に進む。
【００９１】
利用者層データ記憶部１７は、利用者に選択された行先ボタンが対応する行先階と目的階条件データとを取得する。利用者層データ記憶部１７は、取得したデータを関連付けて利用者層データとして記憶する（Ｓ１２）。その後、エレベータ１の動作はＳ１３に進む。
【００９２】
行先階情報表示部１２は、行先ボタン２３を表示した時点から予め定められた時間が経過したかを判定する（Ｓ１３）。判定結果がＮｏである場合は、エレベータ１の動作はＳ８に進む。判定結果がＹｅｓである場合には、エレベータ１の動作は図６のＳ１に進む。
【００９３】
図６において、行先階情報表示部１２は、Ｓ２における判定結果がＹｅｓである場合に、利用者に選択された行先ボタンの表示の色を変更する（Ｓ１４）。その後、エレベータ１の動作はＳ１５に進む。
【００９４】
行先階情報表示部１２は、選択された行先ボタンが対応する階を特定する情報をかご呼び登録部１６に送信する。かご呼び登録部１６は、受信した情報で特定される階への呼びを登録する（Ｓ１５）。その後、エレベータ１の動作はＳ１に進む。
【００９５】
行先階情報表示部１２は、Ｓ５における判定結果がＮｏである場合に、「該当なし」のメッセージを表示する（Ｓ１６）。その後、エレベータ１の動作はＳ１に進む。
【００９６】
以上に説明したように、本実施の形態に係るエレベータ１においては、無線受信部１１が携帯端末７から目的階条件データを受信する。目的階条件データは、利用者５を識別する情報を含まない。目的階抽出部１４は、無線受信部１１が携帯端末７から受信した目的階条件データに関連付けて各階データ記憶部１３が記憶している階を抽出する。行先階情報表示部１２は、目的階抽出部１４が抽出した階に対応する行先階情報として行先ボタンを表示する。これによって、エレベータ１は、利用者を識別する情報を予め登録することなく、利用者５の目的に応じた階を抽出して利用者に提示できる。
【００９７】
利用者５は、エレベータ１を利用するときに、携帯端末７を無線受信部１１にかざす操作だけで、利用者５の目的に応じた目的階に対応する行先ボタンを抽出させて表示させることができる。これにより、階の数が多い建築物においても、利用者５は、目的に応じた階を容易に探して行先階を選択できる。
【００９８】
目的階抽出部１４は、個々の利用者５を特定する情報を参照せず、携帯端末７から受信した目的階条件データの内容に基づいて目的階を抽出する。エレベータ１は、利用者５を特定する情報に関連付けて、目的階の情報を記憶しておく必要がない。利用者は、事前に登録をしていない初めて訪れる建築物に対しても、携帯端末７をかざすことによって利用者５の目的に応じた行先階が抽出して表示される機能を利用することができる。
【００９９】
利用者層データ記憶部１７は、エレベータ１を利用するときに利用者５が行先階を選択する操作の他の操作を要求することなく、利用者層データを収集する。建築物または商業施設等の管理者等は、利用者に追加の操作を要求することなく、時間帯または階ごとの利用目的の分析に利用可能な利用者層データを収集できる。
【０１００】
なお、目的階条件データは、特定階を行先階として選択するための暗証データを含んでも良い。暗証データは、例えば数字を含む文字列で構成されるパスワードまたは暗証番号である。暗証データは、例えば携帯端末７に搭載されるアプリケーションを用いて利用者５によって予め設定される。
【０１０１】
この場合、無線受信部１１は、目的階条件データに含まれる暗証データを携帯端末７から受信する。その後、目的階抽出部１４は、特定階について予め設定された条件に受信した暗証データが合致するかを判定する。特定階について予め設定された条件は、例えば予め設定された暗証番号と受信した暗証番号が一致することである。
【０１０２】
目的階抽出部１４は、受信した暗証データが条件に合致しないと判定した場合に、当該特定階を抽出しない。行先階情報表示部１２は、受信した暗証データが条件に合致しないと目的階抽出部１４が判定した場合に、その旨を利用者に示すメッセージを表示する。その後、行先階情報表示部１２は、通常表示画面を表示する。
【０１０３】
暗証データは、建築物の管理者等から、利用者５が当該建築物を利用する前に、例えば口頭、電話、書面、電子メールまたはダイレクトメールなどによって知らされる。
【０１０４】
これにより、利用者５は、エレベータ１を利用するときに暗証データを入力する操作を必要とせず、暗証データの照合が必要な特定階への呼びを登録できる。
【０１０５】
行先階情報表示部１２は、受信した暗証データが条件に合致しないと目的階抽出部１４が判定した場合に、通常表示画面を表示せずに、特定階を除いて目的階抽出部１４が抽出した目的階に対応する行先ボタンを表示してもよい。
【０１０６】
表示生成部１５は、暗証データが必要な特定階について、行先ボタンの形状または色を特定階以外の階と異なる形状または色とした表示パターンを生成してもよい。
【０１０７】
表示生成部１５は、利用者層データ記憶部１７が記憶している利用者層データと、利用者５の目的階条件データに含まれる属性データと、に基づいて、表示パターンを生成してもよい。例えば、表示生成部１５は、利用者の性別または年代ごとに選択される割合の高い階を利用者層データに基づいて選出してもよい。その後、表示生成部１５は、利用者層データに基づいて選出された階に対応する行先ボタンを、他の階に対応する行先ボタンと異なる色または形状とする表示パターンを生成してもよい。あるいは、表示生成部１５は、利用者層データ記憶部１７が記憶している利用者層データと、利用者５の目的階条件データに含まれる属性データと、に基づいて、行先ボタンの表示順などの表示パターンの配置を変更してもよい。
【０１０８】
目的階条件データは、店舗等を特定できる情報を含んでもよい。店舗等を特定できる情報は、例えば店舗名である。
【０１０９】
表示生成部１５は、無線受信部１１が受信した利用目的に対応する利用者層を対象とする店舗等の名称またはロゴ等を含む表示パターンを生成してもよい。表示生成部１５は、無線受信部１１が受信した目的階条件データに店舗等を特定できる情報が含まれる場合は、当該店舗等の名称を大きさまたは色を変えることで強調して表示する表示パターンを生成してもよい。
【０１１０】
表示生成部１５は、利用者５の目的階条件データの内容２１を含まない表示パターンを生成してもよい。表示生成部１５は、表示データの内容２４を含まない表示パターンを生成してもよい。行先階情報表示部１２は、表示データの内容２４を含まない表示パターンに従って行先ボタン２３を表示する場合は、行先ボタン２３の表示を大きくできる。これにより、行先ボタン２３の視認性が向上する。
【０１１１】
携帯端末７に記憶されている目的階条件データは、当該携帯端末７に搭載されているアプリケーションからの入力情報によって、利用者５の入力操作によらずに設定又は変更されてもよい。携帯端末７に記憶されている目的階条件データは、例えば当該携帯端末７に搭載されているスケジュール管理アプリケーションからの入力情報によって、利用者５が指定した曜日または時間帯の間に、自動的に設定または変更されてもよい。
【０１１２】
各階データ記憶部１３は、かご操作盤６に備えられてもよい。
【０１１３】
建築物が複数のエレベータ１を備える場合に、当該複数のエレベータ１で各階データ記憶部１３または利用者層データ記憶部１７を共有してもよい。
【０１１４】
行先階情報表示部１２は、行先階情報の表示のみを行ってもよい。エレベータ１のかご操作盤６は、行先階への呼びの登録を行うための部分を、行先階情報表示部１２とは別に備えてもよい。
【０１１５】
エレベータ１は、表示生成部１５を備えなくてもよい。行先階情報表示部１２は、予め定められた配置に従って行先ボタンを表示してもよい。
【０１１６】
エレベータ１は、利用者層データ記憶部１７を備えなくてもよい。
【０１１７】
続いて、本実施の形態に係るエレベータのハードウェア構成の例について説明する。図８は、本実施の形態に係るエレベータの主要部のハードウェア構成を示す図である。
【０１１８】
エレベータ１の各機能は、処理回路により実現し得る。処理回路は、少なくとも１つのプロセッサ１ｂと少なくとも１つのメモリ１ｃとを備える。処理回路は、プロセッサ１ｂおよびメモリ１ｃと共に、或いはそれらの代用として、少なくとも１つの専用のハードウェア１ａを備えてもよい。
【０１１９】
処理回路がプロセッサ１ｂとメモリ１ｃとを備える場合、エレベータ１の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ１ｃに格納される。プロセッサ１ｂは、メモリ１ｃに記憶されたプログラムを読み出して実行することにより、エレベータ１の各機能を実現する。
【０１２０】
プロセッサ１ｂは、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、ＤＳＰともいう。メモリ１ｃは、例えば、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等により構成される。
【０１２１】
処理回路が専用のハードウェア１ａを備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【０１２２】
エレベータ１の各機能は、それぞれ処理回路で実現することができる。或いは、エレベータ１の各機能は、まとめて処理回路で実現することもできる。エレベータ１の各機能について、一部を専用のハードウェア１ａで実現し、他部をソフトウェアまたはファームウェアで実現してもよい。このように、処理回路は、ハードウェア１ａ、ソフトウェア、ファームウェア、またはこれらの組み合わせでエレベータ１の各機能を実現する。
【産業上の利用可能性】
【０１２３】
本発明に係るエレベータは、利用者の目的に応じて利用する階が選択される建築物または商業施設等に設けられるエレベータシステムに適用できる。
【符号の説明】
【０１２４】
１  エレベータ、  ２  かご、３  制御装置、  ４  戸、  ５  利用者、  ６  かご操作盤、  ７  携帯端末、  ８  インジケータ、  ９  非常通話用ボタン、  １０ａ  戸開ボタン、  １０ｂ  戸閉ボタン、  １１  無線受信部、  １２  行先階情報表示部、  １３  各階データ記憶部、  １４  目的階抽出部、  １５  表示生成部、  １６  かご呼び登録部、  １７  利用者層データ記憶部、  ２１  目的階条件データの内容、  ２２  該当階の数の表示、  ２３  行先ボタン、  ２４  表示データの内容、  ２５  通常表示へ戻るボタン、  ２６  ページ送りボタン、  １ａ  ハードウェア、  １ｂ  プロセッサ、  １ｃ  メモリ
【要約】
この発明は、個々の利用者を識別する情報を予め登録することなく、利用者の目的に応じた階を抽出して利用者に提示できるエレベータを提供することを目的とする。エレベータは、無線受信部と各階データ記憶部と目的階抽出部と行先階情報表示部とを備える。無線受信部は、利用者に所持される携帯端末から当該利用者の目的階についての条件を表す目的階条件データを受信する。各階データ記憶部は、各階と目的階条件データとを関連付けて記憶する。目的階抽出部は、無線受信部が受信した目的階条件データに関連付けて各階データ記憶部が記憶している階を抽出する。行先階情報表示部は、目的階抽出部が抽出した階に対応する行先階情報を表示する。【図１】
0006447794.tif 000002
【図２】
0006447794.tif 000003
【図３】
0006447794.tif 000004
【図４】
0006447794.tif 000005
【図５】
0006447794.tif 000006
【図６】
0006447794.tif 000007
【図７】
0006447794.tif 000008
【図８】
0006447794.tif 000009